【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
車両のシフトバイワイヤシステム（１１）の駆動部として用いられる回転式アクチュエータであって、
モータ（３０）と、
前記モータを収容しているケース（３２）と、
前記モータの出力を前記ケース外に伝達する回転体（２６、６３、１２１）と、
前記回転体と前記ケースとの間をシールしているシール部材（７３）と、
前記ケースの外部空間（７９）から前記シール部材による前記回転体のシール部位（７８）に至るまでの経路において迷路状空間（８４）を区画している迷路区画部（８９、１０８、１１１）と、
を備え、
前記回転体は、前記シール部位に対する前記外部空間側に位置する大径部（７６）および小径部（７７）を含む段付軸部（７５）を有しており、
前記大径部は、前記小径部よりも前記シール部位に近い側に位置しており、
前記迷路区画部は、前記小径部の径方向外側に設けられている環状部（８３）を有しており、
前記環状部の内径（Ｄ３）は、前記大径部の外径（Ｄ１）よりも小さく、
前記迷路状空間は、前記環状部の内壁面（８５）と前記小径部の外壁面（８６）との間、および、前記環状部の側壁面（８７）と前記大径部の端面（８８）との間に形成されている回転式アクチュエータ。
【請求項２】
前記回転体は、前記シール部位を含む第１シャフト（６３）と、当該第１シャフトに回転伝達可能に連結される第２シャフト（１２１）とからなり、
前記第２シャフトは、前記環状部の径方向内側に設けられているフランジ部（１２２）を有しており、
前記フランジ部のうち前記シール部位とは反対側の側壁（１２３）は、前記環状部のうち前記シール部位とは反対側の側壁（１２４）よりも、前記シール部位側に位置している請求項１に記載の回転式アクチュエータ。
【請求項３】
前記迷路区画部は、前記シール部位に対する前記外部空間側であって前記回転体の径方向外側に設けられている筒部（１０９、１１４）を有しており、
前記筒部は、当該筒部内の空間であって前記シール部位と前記迷路状空間との間の空間（１０３）を、前記外部空間に連通させる排出通路（１０４、１１８）を有している請求項１または２に記載の回転式アクチュエータ。
【請求項４】
前記排出通路は迷路状の通路である請求項３に記載の回転式アクチュエータ。
【請求項５】
車両のシフトバイワイヤシステム（１１）の駆動部として用いられる回転式アクチュエータであって、
モータ（３０）と、
前記モータを収容しているケース（３２）と、
前記モータの出力を前記ケース外に伝達する回転体（２６、６３、１２１）と、
前記回転体と前記ケースとの間をシールしているシール部材（７３）と、
前記ケースの外部空間（７９）から前記シール部材による前記回転体のシール部位（７８）に至るまでの経路において迷路状空間（８４）を区画している迷路区画部（８９、１０８、１１１）と、
を備え、
前記迷路区画部は、前記シール部位に対する前記外部空間側であって前記回転体の径方向外側に設けられている筒部（１０９、１１４）を有しており、
前記筒部は、当該筒部内の空間であって前記シール部位と前記迷路状空間との間の空間（１０３）を、前記外部空間に連通させる排出通路（１０４、１１８）を有しており、
前記排出通路は迷路状の通路である回転式アクチュエータ。
【請求項６】
前記筒部は、小径筒（１０１、１１２、１５１）と、当該小径筒の外側に嵌合している大径筒（１０２、１１３、１５２）とを有しており、
前記排出通路は、前記小径筒を内外に貫通するように設けられている内側排出孔（１０５、１１５）と、前記大径筒を内外に貫通するように設けられている外側排出孔（１０７、１１７）と、前記小径筒の外壁または前記大径筒の内壁に設けられており前記内側排出孔と前記外側排出孔とを接続している排出溝（１０６、１１６、１５３）とを含み、
前記外側排出孔は、前記内側排出孔に対して、周方向位置および軸方向位置の一方または両方がずらされている請求項４または５に記載の回転式アクチュエータ。
【請求項７】
前記内側排出孔は、周方向に離れた２箇所以上に設けられている請求項６に記載の回転式アクチュエータ。
【請求項８】
前記内側排出孔を含む前記小径筒の横断面において、前記回転体に外接する仮想的な直線を仮想直線（Ｌ）と呼び、当該仮想直線と前記小径筒の内壁面（１１９）との交点の一方および他方を第１交点（Ｐ１）および第２交点（Ｐ２）と呼ぶ場合、
周方向に並ぶ２つの前記内側排出孔の周方向間隔（Ａ１）は、前記第１交点と前記第２交点との周方向間隔（Ａ２）よりも狭い請求項７に記載の回転式アクチュエータ。
【請求項９】
前記外側排出孔は、周方向に離れた２箇所以上に設けられており、
各前記外側排出孔のうち最も周方向一方側に位置するもの（１１７（Ａ））は、各前記内側排出孔のうち最も周方向一方側に位置するもの（１１５（Ａ））よりも、周方向一方側に位置しており、
各前記外側排出孔のうち最も周方向他方側に位置するもの（１１７（Ｃ））は、各前記内側排出孔のうち最も周方向他方側に位置するもの（１１５（Ｂ））よりも、周方向他方側に位置している請求項７または８に記載の回転式アクチュエータ。
【請求項１０】
前記排出溝は、各前記内側排出孔のうち最も周方向一方側に位置するもの（１１５（Ａ））よりも、周方向一方側に延びており、また、各前記内側排出孔のうち最も周方向他方側に位置するもの（１１５（Ｂ））よりも、周方向他方側に延びている請求項７〜９のいずれか一項に記載の回転式アクチュエータ。
【請求項１１】
前記排出溝（１１６）は、前記小径筒に設けられており、
前記外側排出孔は、周方向に離れた２箇所以上に設けられており、
前記排出溝の周方向長さ（Ａ３）は、各前記外側排出孔のうち最も周方向一方側に位置するもの（１１７（Ａ））と最も周方向他方側に位置するもの（１１７（Ｃ））との周方向間隔（Ａ４）よりも長い請求項６〜１０のいずれか一項に記載の回転式アクチュエータ。
【請求項１２】
前記排出溝（１５３）は、前記大径筒に設けられており、
前記内側排出孔は、周方向に離れた２箇所以上に設けられており、
前記排出溝の周方向長さは、各前記外側排出孔のうち最も周方向一方側に位置するものと最も周方向他方側に位置するものとの周方向間隔よりも長い請求項６〜１０のいずれか一項に記載の回転式アクチュエータ。
【手続補正２】
【補正対象書類名】明細書
【補正対象項目名】０００５
【補正方法】変更
【補正の内容】
【０００５】
本発明による回転式アクチュエータは、モータと、モータを収容しているケースと、モータの出力をケース外に伝達する回転体と、回転体とケースとの間をシールしているシール部材と、ケースの外部空間からシール部材による回転体のシール部位に至るまでの経路において迷路状空間を区画している迷路区画部と、を備えている。
本発明の第１の態様では、回転体は、シール部位に対する外部空間側に位置する大径部および小径部を含む段付軸部を有している。大径部は、小径部よりもシール部位に近い側に位置している。迷路区画部は、小径部の径方向外側に設けられている環状部を有している。環状部の内径は、大径部の外径よりも小さい。迷路状空間は、環状部の内壁面と小径部の外壁面との間、および、環状部の側壁面と大径部の端面との間に形成されている。
本発明の第２の態様では、迷路区画部は、シール部位に対する外部空間側であって回転体の径方向外側に設けられている筒部を有している。筒部は、当該筒部内の空間であってシール部位と迷路状空間との間の空間を、外部空間に連通させる排出通路を有している。排出通路は迷路状の通路である。